(57)【要約】【課題】  撮影画像から一部の部分画像を切り出すための領域を指定する領域指定表示の一部を側性に応じて変更することにより、被検査物の側性を識別可能な技術を提供する。【解決手段】制御装置は撮影画像における被検査物の側性を示す情報を入力する入力部と、撮影画像から一部の部分画像を切り出すための領域を指定する領域指定表示を撮影画像に重畳して表示部に表示させる表示制御部とを備え、表示制御部は、領域指定表示の一部を側性に応じて変更して表示部に表示させる。【選択図】  図１
2016158811.tif 000002
【特許請求の範囲】
【請求項１】
撮影画像における被検査物の側性を示す情報を入力する入力手段と、
前記撮影画像から一部の部分画像を切り出すための領域を指定する領域指定表示を前記撮影画像に重畳して表示手段に表示させる表示制御手段と、
を備え、
前記表示制御手段は、前記領域指定表示の一部を前記側性に応じて変更して前記表示手段に表示させる
ことを特徴とする制御装置。
【請求項２】
前記領域指定表示を表示するための表示データに前記側性を示す情報を付与する付与手段を更に備え、
前記表示制御手段は、前記側性を示す情報が付与された前記表示データに基づいて、前記領域指定表示の一部を変更して前記表示手段に表示させることを特徴とする請求項１に記載の制御装置。
【請求項３】
前記表示制御手段は、前記表示データに基づいて、前記領域指定表示の一部の形状または表示色を変更して前記表示手段に表示させることを特徴とする請求項２に記載の制御装置。
【請求項４】
前記部分画像を外部装置に出力するための画像データを生成する生成手段を更に備え、
前記生成手段は、
前記部分画像において、放射線が検出手段に直接照射された領域である素抜け領域を前記部分画像の画素値に基づいて探索し、
前記側性を示す側性マーカーを前記素抜け領域に配置し、
前記部分画像および前記側性マーカーを、前記外部装置に出力するための画像データとして生成することを特徴とする請求項１乃至３のいずれか１項に記載の制御装置。
【請求項５】
前記生成手段は、
前記部分画像において前記素抜け領域が存在しない場合、前記部分画像に隣接する外部領域に前記側性を示す側性マーカーを配置し、
前記部分画像および前記外部領域の画像および前記側性マーカーを、前記外部装置に出力するための一つの画像データとして生成することを特徴とする請求項４に記載の制御装置。
【請求項６】
前記表示制御手段は、前記画像データに基づいて、前記部分画像および前記外部領域の画像および前記側性マーカーを、前記表示手段に表示させることを特徴とする請求項５に記載の制御装置。
【請求項７】
前記生成手段は、前記領域指定表示における前記部分画像の画素値と閾値との比較により前記素抜け領域の有無を判定することを特徴とする請求項４または請求項５に記載の制御装置。
【請求項８】
前記生成手段は、
前記素抜け領域が存在しない場合、前記部分画像の外周を囲み、予め定められた幅を有する枠画像を、前記外部領域の画像として生成し、
前記側性を示す情報に基づいて、枠画像内に前記側性マーカーを配置するように前記画像データを生成することを特徴とする請求項５に記載の制御装置。
【請求項９】
前記表示制御手段は、前記部分画像および前記枠画像および前記側性マーカーを、前記表示手段に表示させることを特徴とする請求項８に記載の制御装置。
【請求項１０】
前記生成手段は、
前記素抜け領域が存在しない場合、前記部分画像の一部と隣接し、予め定められた幅を有する部分枠画像を、前記外部領域の画像として生成し、
前記側性を示す情報に基づいて、部分枠画像内に前記側性マーカーを配置するように前記画像データを生成することを特徴とする請求項５に記載の制御装置。
【請求項１１】
前記生成手段は、前記側性に応じた位置に、前記部分画像の一部と隣接する前記部分枠画像を生成することを特徴とする請求項１０に記載の制御装置。
【請求項１２】
前記表示制御手段は、前記部分画像および前記部分枠画像および前記側性マーカーを、前記表示手段に表示させることを特徴とする請求項１０または請求項１１に記載の制御装置。
【請求項１３】
前記生成手段は、ネットワークを介して外部装置に前記画像データを転送する場合、前記部分画像のサイズおよび前記外部領域の画像のサイズに基づいて、前記画像データのサイズを示すヘッダ情報を設定することを特徴とする請求項５に記載の制御装置。
【請求項１４】
医用画像撮影を制御する制御装置の制御方法であって、
撮影画像における被検査物の側性を示す情報を入力する入力工程と、
前記撮影画像から一部の部分画像を切り出すための領域を指定する領域指定表示を前記撮影画像に重畳して表示手段に表示させる表示制御工程と、
前記領域指定表示の一部を前記側性に応じて変更して前記表示手段に表示させる工程と、
を有することを特徴とする制御方法。
【請求項１５】
撮影画像における被検査物の側性を示す情報を入力する入力手段と、
前記撮影画像から一部の部分画像を切り出すための領域を指定する領域指定表示を前記撮影画像に重畳して表示手段に表示させる表示制御手段と、
を備え、
前記表示制御手段は、前記領域指定表示の一部を前記側性に応じて変更して前記表示手段に表示させる
ことを特徴とする医用画像撮影装置。
【請求項１６】
撮影画像における被検査物の側性を示す情報を入力する入力手段と、
前記撮影画像から一部の部分画像を切り出すための領域を指定する領域指定表示を前記撮影画像に重畳して表示手段に表示させる表示制御手段と、
を備え、
前記表示制御手段は、前記領域指定表示の一部を前記側性に応じて変更して前記表示手段に表示させる
ことを特徴とする医用画像撮影システム。
【請求項１７】
コンピュータを、請求項１乃至請求項１３のいずれか１項に記載の制御装置の各手段として機能させるためのプログラム。
【発明の詳細な説明】
【技術分野】
【０００１】
本発明は、制御装置、制御方法、医用画像撮影装置、医用画像撮影システムおよびプログラムに関する。
【背景技術】
【０００２】
近年病院において、例えば、放射線撮影装置などの医用画像撮影装置は、ネットワークを介して、病院情報システム(Hospital Information System：HIS)や画像保存通信システム(Picture Archiving and Communication Systems: PACS)と接続し、撮影された画像データ（放射線撮影画像）はデジタルデータとして管理されるようになっている。
【０００３】
特許文献１、２では、デジタルデータとして管理される画像データ（放射線撮影画像）に情報を付加する方法が提案されている。撮影された放射線撮影画像に付加する情報としては、例えば、医師や放射線技師が被験者の対臓器を撮影する際の方向性（例えば、左右）を判断するためのマーク（側性マーカー）の情報が挙げられる。
【０００４】
また、医師や放射線技師が撮影された放射線撮影画像のうち一部に着目した範囲を選択する操作（切り出し処理）を行う際、医用画像撮影装置は範囲の選択操作のために切り出し枠を放射線撮影画像上に表示する。ここで、切り出し処理は、例えば、病変位置のみに着目する場合、放射線の素抜け領域を削除する場合、健康診断などで一律のサイズで画像を転送する場合などのために行われる処理である。切り出し処理の完了後、医用画像撮影装置は切り出された範囲の画像をＰＡＣＳへ転送する。ここで、切り出し範囲外に側性マーカーが配置されていた場合は、出力後の画像には画像の方向性を示す側性マーカーの情報が失われてしまい、切り出された画像を医師や放射線技師が後に見た場合、撮影されている臓器の方向性を識別することが困難になる。
【先行技術文献】
【特許文献】
【０００５】
【特許文献１】特開２００５−２９６０６４号公報
【特許文献２】特許第３６１９０２７号明細書
【発明の概要】
【発明が解決しようとする課題】
【０００６】
従来技術では、放射線撮影画像内において側性マーカーと切り出し枠とは別々に、撮影画像に対して重畳表示されており、医師や放射線技師等の操作者は、病変部の観察と、切り出し範囲の判別と、左右どちらの臓器かを示す側性マーカーの判別とを個別に行う必要があった。また、医師や放射線技師等の操作者は、側性マーカーと切り出し枠を放射線撮影画像上に配置する操作を行う際、側性マーカーが、観察している病変部に重ならないように配置する必要がある。また、切り出し後に撮影の方向性を確認することができるようにするため、切り出し枠内に収まる位置に側性マーカーが配置されるように注意をしながら操作をする必要があり、病変部の観察を行いながらこれらの操作を行うことは医師や放射線技師等の操作者の負担となっていた。
【０００７】
本発明は、撮影画像から一部の部分画像を切り出すための領域を指定する領域指定表示の一部を側性に応じて変更することにより、被検査物の側性を識別可能にする技術を提供する。
【課題を解決するための手段】
【０００８】
本発明の一つの側面に係る制御装置は、撮影画像における被検査物の側性を示す情報を入力する入力手段と、前記撮影画像から一部の部分画像を切り出すための領域を指定する領域指定表示を前記撮影画像に重畳して表示手段に表示させる表示制御手段と、を備え、前記表示制御手段は、前記領域指定表示の一部を前記側性に応じて変更して前記表示手段に表示させることを特徴とする。
【発明の効果】
【０００９】
本発明によれば、撮影画像から一部の部分画像を切り出すための領域を指定する領域指定表示の一部を側性に応じて変更することにより、被検査物の側性を識別することが可能になる。
【００１０】
また、撮影画像から一部を切り出す領域指定表示内の部分画像を見やすく表示することが可能になる。
【図面の簡単な説明】
【００１１】
【図１】実施形態の制御装置の処理の流れの一例を示す図。
【図２】実施形態の制御装置、放射線撮影装置の概略構成を示す図。
【図３】側性を示す情報を切り出し枠に付与する例を説明する図。
【図４】側性を示す情報を切り出し枠に付与する例を説明する図。
【図５】出力画像へ側性を示す情報を付与する例を説明する図。
【図６】第３の実施形態における制御装置の処理を説明する図。
【図７】第４の実施形態における制御装置の処理を説明する図。
【図８】側性マーカーの表示例を示す図。
【図９】側性マーカーの表示例を示す図。
【発明を実施するための形態】
【００１２】
以下、図面を参照して、本発明の実施形態を例示的に詳しく説明する。ただし、実施形態に記載されている構成要素はあくまで例示であり、本発明の技術的範囲は、特許請求の範囲によって確定されるのであって、以下の個別の実施形態によって限定されるわけではない。
【００１３】
本実施形態の構成は、医用画像撮影を制御する制御装置、制御装置を含む制御システム、および医用画像撮影装置として、Ｘ線、α線、β線、γ線、粒子線などによる放射線撮影を含む放射線撮影装置にも適用可能である。また、医用画像撮影装置を含む医用画像撮影システムにも適用可能である。
【００１４】
なお、一連の処理を説明するために、制御装置、制御システム、医用画像撮影装置（放射線撮影装置）、医用画像撮影システムを医師が操作することを想定して説明するが、他の場合であっても同様に利用可能である。例えば、操作者については放射線技師が操作しても同様に利用可能である。また、医用画像撮影装置（放射線撮影装置）は医用画像撮影システム（放射線撮影システム）と呼ぶ場合がある。
【００１５】
＜前提技術＞
撮影された画像データ（放射線撮影画像）はデジタルデータとして管理され、画像データに情報を付加することが可能になっている。画像データに配置する情報として、例えば、被験者の左右に存在する被検査物（対臓器）の片側が写っている場合に、医師や放射線技師が左右どちらの被検査物（対臓器）かを判断するための情報がある。画像上に、被検査物の方向性を示すマークを配置しておくことで、後から画像を見た際に被検査物（対臓器）のどちらかを判別することができる。また、被検査物として対臓器の両方が一枚の画像に写っている場合には左右どちらの対臓器かを明示する目的で、撮影画像において被検査物（対臓器）の左右を識別できるように方向性を識別するためのマークを配置する場合もある。以下の説明では、被検査物（対臓器）について、方向性を示す属性（例えば、左右どちらの臓器かを示す属性）を「側性」（Ｌａｔｅｒａｌｉｔｙ）と呼び、撮影画像における被検査物の側性を示す情報を側性情報と呼ぶ。また、側性を示すマークを以下では「側性マーカー」と呼ぶ（側性マーカーを識別マークともいう）。一般的に、側性マーカーは、方向として左右を示す場合、左を表す「Ｌ」、右を表す「Ｒ」などの記号（符号）が用いられる。尚、撮影画像における側性は左右に限定されるものではなく、上下の方向を識別する場合も同様である。この場合、側性マーカーは、上を表す「Ｓ(superior)」、下を表す「Ｉ（inferior）」などの記号（符号）を用いることが可能である。また、被験者の顔が向いている方が前（Ａ（anterior））、背部が向いている方が後ろ（Ｐ（posterior））を示すように、側性マーカーの記号（符号）を用いることが可能である。
【００１６】
以下の説明では、撮影画像から一部の部分画像を切り出すための領域を指定する領域指定表示を切り出し枠として説明する。また、領域指定表示の一部を切り出し枠の辺として説明する。
【００１７】
まず、前提技術として、側性マーカーと切り出し枠の表示と、切り出し枠のサイズの変更に応じて側性マーカーの表示位置を変更する表示制御の例について説明する。この表示制御の例を説明するために、医師や放射線撮影技師などの操作者が意図しない箇所に側性マーカーが配置されるケースを、図８を用いて具体的に説明する。図中、撮影画像８０１において、切り出し枠８０２、および側性マーカー８０３が撮影画像に重畳して表示されている（図８（ａ））。このように切り出し枠８０２、および側性マーカー８０３が配置されている状態から、切り出し枠８０２を切り出し枠８０４のように縮小変更する場合を考える（図８（ｂ））。例えば、特許第４０１８２６０号明細書に記載の方法を用いた場合、初期位置の側性マーカー８０３は縮小変更後の側性マーカー８０５のように、切り出し枠８０４内に収まる位置に移動する。
【００１８】
しかし、図８（ｂ）に示す表示状態から縮小変更後の切り出し枠８０４を拡大変更後の切り出し枠８０６のように広げた場合（図８（ｃ））、縮小変更後の側性マーカー８０５は、拡大変更後の切り出し枠８０６内において、拡大変更後の側性マーカー８０７に示すように、縮小変更後の位置から移動しない。
【００１９】
このまま、切り出し枠内の画像がＰＡＣＳへ転送されたり、プリント処理のためプリンタに転送されると、転送処理された画像の右側が被験者の左側であるように見えてしまい、当初意図していた画像の左側が被験者の左側であるという意味付けとは異なるものとなる。そのため、医師等の操作者は側性マーカーの位置を修正しなければならないが、もしも側性マーカーの位置の修正を忘れた場合には病変位置を誤って判断してしまう可能性がある。
【００２０】
このような場合、切り出し枠と側性マーカーとの位置関係を保つように側性マーカーを自動的に移動させれば、図８で説明したような切り出し枠の変更操作を行った場合に意図しない箇所に側性マーカーが配置されることは防ぐことができる。
【００２１】
しかし、切り出し枠と側性マーカーの位置関係を保つように側性マーカーを自動的に移動する機能を実現させた場合であっても、側性の識別が困難になる場合は存在する。そのような場合について、図９を用いて説明する。図中、撮影画像９０１において、切り出し枠９０２、および側性マーカー９０３が撮影画像に重畳して表示されている（図９（ａ））。撮影画像９０１の右下側に、被検査物として両手が写っており、画像左に位置する手が左手であることを示すために、医師が側性マーカー９０３を配置した後、放射線素抜け領域を切り取るように切り出し処理を行うとする。初期位置の切り出し枠９０２は切り出し枠９０４のように縮小変更される（図９（ｂ））。側性マーカー９０３が切り出し枠のサイズを変更する操作と連動して移動する機能が実装されていると、初期位置の側性マーカー９０３は縮小変更後の側性マーカー９０５の位置に移動する。縮小変更後の位置に側性マーカー９０５が移動すると、左手と右手の間に側性マーカー９０５が配置されてしまい、どちらの手に対して側性マーカーの「Ｌ」を配置したのかが分からなくなってしまう。このように、切り出し枠と側性マーカーの位置関係を保つように側性マーカーを移動する機能を実現させた場合であっても、意図しない箇所に側性マーカーが移動してしまう場合が生じ得る。
【００２２】
＜第１の実施形態＞
以下、第１の実施形態について説明する。本実施形態では、撮影画像における被検査物の側性を示す情報（側性情報）を、撮影画像から一部の部分画像を切り出すための領域を指定する領域指定表示（切り出し枠の表示）に付与する構成について説明する。図２は、第１の実施形態の制御装置、医用画像撮影装置（放射線撮影装置）およびＰＡＣＳの概略構成を示す図である。
【００２３】
放射線撮影装置２１３は、制御装置２０８（制御部）、放射線センサ２１１（検出部）、入力部２０２および表示部２０３を有する。放射線撮影装置２１３には、ネットワーク２０９を介して放射線発生装置２１２が接続される。放射線撮影装置２１３および放射線発生装置２１２により医用画像撮影システム（放射線撮影システム）が構成される。
【００２４】
制御装置２０８は、ＣＰＵ２０１、ＢＵＳ２０４、ＲＯＭ２０５、ＲＡＭ２０６、大容量記憶装置２０７（ＤＩＳＫ）を有し、医用画像撮影装置（放射線撮影装置）を制御することにより医用画像の撮影（放射線画像の撮影）を制御する。ネットワーク２０９は、放射線撮影装置２１３とＰＡＣＳ２１０とを結ぶＬＡＮである。ＰＡＣＳ２１０は、画像保存通信システムであり、ネットワーク２０９を介して放射線撮影装置２１３との間で通信し、放射線撮影装置２１３で撮影された画像を保管する。
【００２５】
放射線センサ２１１は、放射線を蛍光体によって放射線の強度に比例した可視光に変換し、その可視光を光電変換素子により電気信号に変換し、それをＡ／Ｄ変換器でデジタル変換することで放射線画像を取得する。放射線発生装置２１２は、制御装置２０８による制御に基づき、放射線管から放射線を照射する。
【００２６】
ＣＰＵ２０１は中央演算処理装置であり、以下に述べる各部を統括的に制御する。入力部２０２はマウス、ボタン、キーボード、タッチパネル等により構成することが可能であり、操作者は入力部２０２を介して各種の指示を行うことが可能である。表示部２０３は液晶ディスプレイ等であり、診療録等を表示する。また、表示部２０３は制御装置２０８の表示制御により撮影画像等を表示することが可能である。ＢＵＳ２０４は、各種信号やデータの転送経路となる通信バスである。例えば、ＣＰＵ２０１から制御対象である各デバイスへの指示を行う信号や、各デバイス間のデータを所定の処理部に転送する。
【００２７】
ＲＯＭ２０５は読出専用の不揮発性メモリである。ＲＯＭ２０５はＣＰＵ２０１のブートプログラム、システムの制御プログラム、各種処理で参照される各種初期データ等を記憶する。
【００２８】
ＲＡＭ２０６は読み書き可能なランダムアクセスメモリであり、各デバイスからの各種データの一時記憶や、ＣＰＵ２０１の作業領域等として機能する。ＲＡＭ２０６には処理に必要なデータを記憶する各種ワーク領域、処理中に必要なスタック、処理中に値変更が行われる各種データが格納されている。後述するデフォルト設定された領域指定表示（切り出し枠）と側性を示す情報との対応関係もＲＡＭ２０６に格納されている。
【００２９】
また、ＣＰＵ２０１はＲＯＭ２０５から放射線撮影装置２１３を制御する撮影制御プログラムを読出してＲＡＭ２０６に展開し、実行する。ここでＲＡＭ２０６に展開される撮影制御プログラムは、機能構成として、表示制御部２１４、側性入力部２１５、側性付与部２１６、生成部２１７とを有する。
【００３０】
側性入力部２１５は、撮影画像における被検査物の側性を示す情報を入力する。側性入力部２１５は、入力部２０２からの入力またはＣＰＵ２０１の命令により撮影画像に対する側性情報の入力を受け付けることが可能である。
【００３１】
表示制御部２１４は、撮影画像から一部の部分画像を切り出すための領域を指定する領域指定表示（切り出し枠）を撮影画像に重畳して表示部２０３に表示させる。表示制御部２１４は、領域指定表示の一部（切り出し枠の辺）を側性に応じて変更して表示部２０３に表示させる。表示制御部２１４は、例えば、ＣＰＵ２０１により指示された箇所に転送用画像の範囲を示す切り出し枠を表示部２０３に表示させることが可能である。
【００３２】
側性付与部２１６は、領域指定表示（切り出し枠）を表示するための表示データに側性を示す情報を付与する。例えば、側性付与部２１６は、側性入力部２１５またはＣＰＵ２０１の命令により、側性を示す情報（側性情報）を、領域指定表示の一部（切り出し枠の辺）を表示するための表示データに対して付与する。表示制御部２１４は、側性を示す情報が付与された表示データに基づいて、領域指定表示の一部（切り出し枠の辺）を変更して表示部２０３に表示させる。表示の変更例として、表示制御部２１４は、表示データに基づいて、領域指定表示の一部（切り出し枠の辺）の形状または表示色を変更して表示部２０３に表示させることが可能である。
【００３３】
生成部２１７は、撮影画像から一部が切り出される部分画像を外部装置に出力するための出力用の画像データを生成する。生成部２１７は、例えば、ＣＰＵ２０１の命令によりＰＡＣＳ２１０やプリンタなどの外部装置に出力するために転送用画像の生成を行う。
【００３４】
大容量記憶装置２０７（ＤＩＳＫ）は大量のデータを変更可能に記憶する。大容量記憶装置２０７（ＤＩＳＫ）は、例えば、ハードディスクやＳＳＤ（Ｓｏｌｉｄ  Ｓｔａｔｅ  Ｄｒｉｖｅ）等で構成することが可能である。大容量記憶装置２０７（ＤＩＳＫ）の一部には撮影画像保存部が構成され、ＣＰＵ２０１は放射線撮影装置２１３にて撮影された画像を撮影画像保存部に保存する。尚、ＣＰＵ２０１により実行される制御プログラムや参照される各種初期データは、必要に応じてＲＡＭ２０６上の一時記憶部にロードされ、ＣＰＵ２０１は、ロードされた撮影制御プログラムを実行し、もしくは各種初期データを参照する。このようにすることでプログラムや初期データを固定化せず途中で修正可能にすることができ、柔軟な装置構成（システム）を実現することができる。また、端末の電源を切るなどの終了処理が行われる際に、ＣＰＵ２０１は終了処理中にＲＡＭ２０６が保持するデータや画像などを、大容量記憶装置２０７（ＤＩＳＫ）上に保存する処理を行う。そして、次回の起動時に、ＣＰＵ２０１は大容量記憶装置２０７（ＤＩＳＫ）上に保存した各種データをＲＡＭ２０６に読み出すことにより、終了したときの状態にて再開可能である。
【００３５】
次に、図１および図３を用いて、本実施形態の制御装置が実行する処理の概略を説明する。図１は、制御装置の処理の流れの一例を示したフローチャートであり、図３は撮影制御プログラムの実行中において、撮影画像における被検査物の側性を示す情報（側性情報）を領域指定表示（切り出し枠）に付与する例を説明する図である。
【００３６】
まず、図１のフローチャートについて順を追って説明する。ステップＳ１０１では、制御装置２０８のＣＰＵ２０１は撮影制御プログラムの起動処理を実行する。ＣＰＵ２０１は各種データやソフトウェアモジュールの初期化、外部接続された放射線センサ２１１や放射線発生装置２１２との通信の開始処理などを行う。
【００３７】
そして、ステップＳ１０２において、ＣＰＵ２０１は被験者情報の入力処理を行う。ＣＰＵ２０１は、操作者により入力部２０２から入力される被験者情報を用いて入力処理を行うことが可能である。また、ＣＰＵ２０１は、放射線科情報システム（Ｒａｄｉｏｌｏｇｙ  Ｉｎｆｏｒｍａｔｉｏｎ  Ｓｙｓｔｅｍ）などから取得した情報を被験者情報として利用することが可能である。被験者情報の入力が完了すると処理は、ステップＳ１０３へと遷移する。
【００３８】
ステップＳ１０３において、ＣＰＵ２０１は、被験者のどの部位をどのような方法で撮影するかを表す「撮影条件（プロトコル）」を選択する撮影条件（プロトコル）選択処理を実行する。ステップＳ１０３の処理は、先のステップＳ１０２において、入力部２０２を介した被験者情報の入力処理が行われた場合は必ず行う必要がある処理である。しかし、先のステップＳ１０２において、放射線科情報システムから取得した被験者情報に撮影条件（プロトコル）が付加されていれば、ステップＳ１０３の処理を省略することは可能である。この場合、ＣＰＵ２０１は、放射線科情報システムから取得した被験者情報を解析し、被験者情報に撮影条件（プロトコル）が付加されているか否かを判定する。被験者情報に撮影条件（プロトコル）が付加されている場合は、上記のように撮影条件（プロトコル）の入力を行うことなく次のステップに処理は進められる。一方、被験者情報に撮影条件（プロトコル）が付加されていない場合、ＣＰＵ２０１は、表示部２０３を制御して操作者に対して撮影条件（プロトコル）の入力を促す報知情報を表示させる。入力部２０２を介して操作者から撮影条件（プロトコル）が入力されると、撮影条件（プロトコル）選択処理は終了し、処理はステップＳ１０４に遷移する。
【００３９】
ステップＳ１０４において、ＣＰＵ２０１は撮影画面の表示処理を実行し、撮影のための画面を表示部２０３に表示させる。撮影画面の表示処理が完了すると、処理はステップＳ１０５に遷移する。尚、先のステップＳ１０３において、入力部２０２からの入力や放射線科情報システムからの入力では１つの検査に対して複数の撮影条件（プロトコル）を選択することが可能である。放射線撮影装置（システム）の操作者は入力部２０２により撮影条件（プロトコル）を選択すると、次のステップＳ１０５にて撮影条件（プロトコル）の設定処理が実行される。
【００４０】
ステップＳ１０５では、先のステップＳ１０３において、入力部２０２により撮影条件（プロトコル）が選択されると、ＣＰＵ２０１は、選択された撮影条件（プロトコル）を選択状態として、撮影に必要な各種データの設定や、放射線照射線量などの情報を放射線発生装置２１２へ通知する。この通知に基づいて、放射線発生装置２１２は放射線照射線量を設定する。撮影条件（プロトコル）の設定が終わると、処理はステップＳ１０６に遷移する。
【００４１】
ステップＳ１０６において、ＣＰＵ２０１は、照射開始の判定処理を行う。放射線発生装置２１２に付随した照射ボタンが押下されると、照射ボタンの押下を示す信号が制御装置２０８に入力され、ＣＰＵ２０１は、この信号の有無により照射開始の判定処理を行う。ＣＰＵ２０１は照射ボタンの押下を示す信号が制御装置２０８に入力されるまで待機する。放射線発生装置２１２が放射線照射を行わない場合（Ｓ１０６−Ｎｏ）、制御装置２０８は照射開始を待ち受ける待機状態となる。一方、放射線発生装置２１２が放射線の照射を行うと（Ｓ１０６−Ｙｅｓ）、制御装置２０８のＣＰＵ２０１は処理をステップＳ１０７に遷移して画像受信処理を行う。
【００４２】
ステップＳ１０７において、放射線発生装置２１２が放射線の照射を行い、放射線センサ２１１が被験者を通過した放射線に基づく画像（撮影画像）を取得する。制御装置２０８のＣＰＵ２０１は放射線センサ２１１（検出部）からネットワーク２０９を介して取得した撮影画像を、ＲＡＭ２０６に展開する。
【００４３】
その後、ステップＳ１０８において、ＣＰＵ２０１は撮影された画像の撮影条件（プロトコル）情報を取得する。ＣＰＵ２０１は取得した撮影条件（プロトコル）情報に基づいて、デフォルトで側性情報が、領域指定表示（切り出し枠）と関連付けられている場合、関連付けられている側性情報と領域指定表示（切り出し枠）の情報とを取得する。領域指定表示（切り出し枠）と側性情報との対応関係はＲＡＭ２０６に格納されており、制御装置２０８のＣＰＵ２０１はＲＡＭ２０６から領域指定表示（切り出し枠）と側性情報との対応関係を示す情報を取得することが可能である。
【００４４】
ステップＳ１０９において、ＣＰＵ２０１は、撮影画像から一部の部分画像を切り出すための切り出し領域（クロップ領域ともいう）に側性情報を設定する。デフォルトで側性情報が領域指定表示（切り出し枠）と関連付けられている場合、ＣＰＵ２０１は、関連付けられている側性情報を、領域指定表示（切り出し枠）を表示するための表示データに設定する。デフォルトで関連付けられている側性情報が存在しない場合において、操作者により表示部２０３および入力部２０２を介して側性情報が設定された場合、ＣＰＵ２０１は、設定された側性情報を、領域指定表示（切り出し枠）を表示するための表示データに設定する。
【００４５】
その後、ステップＳ１１０において、ＣＰＵ２０１は表示データを生成する。ここでは、先のステップＳ１０９で設定された側性情報に基づいて、ＣＰＵ２０１は領域指定表示（切り出し枠）の一部の辺の形状や表示色などの変更処理を行うための表示データを生成する。
【００４６】
次にステップＳ１１１において、ＣＰＵ２０１の制御の下、表示制御部２１４は、画面表示処理を実行することにより領域指定表示の一部（切り出し枠の辺）を側性に応じて変更して表示部２０３に表示させる。表示制御部２１４は、側性を示す情報（側性情報）が反映された表示データに基づいて、領域指定表示の一部（切り出し枠の辺）の表示を変更して表示部２０３に表示させる。
【００４７】
そしてステップＳ１１２において、ＣＰＵ２０１は検査完了を受け付ける。検査に未撮影の撮影条件（プロトコル）のものが残っている場合（Ｓ１１２−Ｎｏ）、ステップＳ１０５に処理は戻され同様の処理が繰り返される。一方、未撮影の撮影条件（プロトコル）のものが無く、操作者からの検査完了指示をＣＰＵ２０１が受け付けた場合（Ｓ１１２−Ｙｅｓ）、ＣＰＵ２０１は検査完了処理を行い、一連の処理が終了する。
【００４８】
次に図３を用いて、撮影制御プログラムの実行中において、撮影画像における被検査物の側性を示す情報（側性情報）を領域指定表示（切り出し枠）に付与する例を説明する。撮影制御プログラムの撮影画面ＧＵＩ３００において、撮影画像３０１、切り出し枠３０２、および側性入力ボタン３０３が表示されている（図３（ａ））。撮影画像３０１には、図１のステップＳ１１１における画面表示処理の結果に基づく画像が表示されている。ここでは、図１のステップＳ１０８の処理において、デフォルトで設定されている側性情報が存在せずに処理がステップＳ１０９に進んだものとして撮影画像が表示されている。
【００４９】
ここで、側性入力ボタン３０３が操作者により押下されると、側性入力部２１５は、撮影画像における被検査物の側性を示す情報を入力する。すなわち、側性入力部２１５は、入力部２０２を介した側性入力ボタン３０３からの入力により撮影画像に対する側性情報の入力を受け付ける。ＣＰＵ２０１の制御の下、側性付与部２１６は、図１のステップＳ１０９における側性情報の設定処理を行い、入力された側性情報を、領域指定表示（切り出し枠）を表示するための表示データに付与する。
【００５０】
そして、ＣＰＵ２０１の制御の下、生成部２１７は、設定された側性情報に基づいて、ＣＰＵ２０１は領域指定表示（切り出し枠）の一部の辺の形状や表示色などの変更処理を行うための表示データを生成する（Ｓ１１０）。そして、ＣＰＵ２０１の制御の下、表示制御部２１４は、ステップＳ１１０で生成された表示データを表示部２０３に出力して、領域指定表示の一部（切り出し枠の辺）を側性に応じて変更して表示部２０３に表示させる（Ｓ１１１）。ここでは、操作者の操作により側性入力ボタン３０３が押下され、領域指定表示の一部として、切り出し枠３０２の左辺に、側性を示す情報（側性情報）「Ｌ」が設定されたとする。
【００５１】
表示制御部２１４の表示制御により、表示部２０３の切り出し枠３０２の左辺は破線３０４のように表示される（図３（ｂ））。ここでは、実線の表示（図３（ａ））を破線の表示（図３（ｂ））に変更することにより、切り出し枠３０２に対して、側性を示す情報（側性情報）が設定されていることが示されている。本実施形態はこの例に限定されず、領域指定表示の一部（切り出し枠の辺）の表示の変更例として、形状（線種、線の太さ等）や表示色などの変更を画像生成処理により行うことが可能である。
【００５２】
その画像生成処理の結果を表示部に表示させる表示制御処理において、撮影画像から一部の部分画像を切り出すための領域を指定する領域指定表示の一部を側性に応じて変更することにより、被検査物の側性を識別することが可能になる。また、撮影画像から一部を切り出す領域指定表示内の部分画像を見やすく表示することが可能になる。
【００５３】
尚、画面の淵と切り出し枠とが重なる場合、操作者から切り出し枠の辺の形状変更が見えにくくなる場合も生じ得る。このような場合、ＣＰＵ２０１は画面の淵と切り出し枠の辺との相対的な位置情報を取得する。そして、切り出し枠の辺の位置が画面の淵に対して一定範囲内に位置する場合、生成部２１７は、側性情報に基づいて、側性を示す側性マーカーを切り出し枠辺に付随するように画像データを生成し、表示制御部２１４は、生成された画像データを表示部２０３に表示させることも可能である。切り出し枠の辺の形状変更を行う代わりに、側性マーカーを表示させることにより、操作者は画像における被検査物（対臓器）の側性を識別しやすくすることができる。
【００５４】
生成部２１７は、切り出し枠の辺の形状変更、および、側性マーカーを付加表示するための画像データを生成することも可能であり、表示制御部２１４は、生成部２１７により生成された画像データに基づく表示を表示部２０３にさせることも可能である。これにより、画面の淵の近傍に切り出し枠の辺が位置するような場合であっても、操作者は画像における被検査物（対臓器）の側性を識別しやすくすることができる。
【００５５】
図３で示した例では、側性入力ボタン３０３の操作入力により側性を示す情報（側性情報）の入力を行う例を説明したが、側性情報の入力方法は、この方法に限定されず他の方法を用いてもよい。例えば、図４に例示する入力方法により、側性を示す情報（側性情報）の入力を行うことも可能である。
【００５６】
図４に示す撮影制御プログラムの撮影画面ＧＵＩにおいて、撮影画像４０１、および切り出し枠４０２が表示されている（図４（ａ））。矢印４０３は入力部２０２のマウスカーソルを表している。医師や放射線撮影技師などの操作者がマウスカーソルの矢印４０３を、切り出し枠４０２の左辺の近傍に移動させて、クリック操作を行うと、表示制御部２１４は側性入力部２１５として機能する側性選択部４０４を撮影画面ＧＵＩ上に表示させる。
【００５７】
医師や放射線撮影技師などの操作者が側性選択部４０４から側性を示す情報（側性情報）として、左（Ｌ）または右（Ｒ）を選択すると、側性選択部４０４からの選択に基づいて、側性付与部２１６は選択された側性情報を切り出し枠の辺に対して付与する。すなわち、側性付与部２１６は領域指定表示（切り出し枠）を表示するための表示データに側性を示す情報（側性情報）を付与する。ここでは側性情報として側性選択部４０４から「Ｌ」が選択したとする。すると、ＣＰＵ２０１の制御の下、側性付与部２１６は、切り出し枠４０２を表示するための表示データに側性情報「Ｌ」を付与し、表示データおよび側性情報をＲＡＭ２０６に記憶させる。そして、ＣＰＵ２０１の制御の下、表示制御部２１４は、側性情報が付与された表示データに基づいて、切り出し枠４０５の左辺の表示を変更する（図４（ｂ））。図４（ｂ）に示す例では、切り出し枠４０５の左辺の実線の表示を破線の表示に変更することにより、切り出し枠４０５に対して、側性を示す情報（側性情報）が設定されていることが示されている。図４（ｂ）では線種の変更による側性情報の設定例を示しているが、この例に限定されず、側性情報が付与されていることが分かればよい。例えば、線の形状や太さを変える、線を波線に変える、線の色を変える、側性マーカーを切り出し枠の辺の外側に付随させて表示するなど、種々の変更が可能である。
【００５８】
このように、部分画像を切り出すための領域を指定する領域指定表示（切り出し枠）の一部を側性に応じて変更することにより、領域指定表示（切り出し枠）の配置位置または領域指定表示（切り出し枠）の大きさの変更や、回転反転により領域指定表示（切り出し枠）の位置やサイズを変更した場合にも、側性情報の設定を維持した状態で領域指定表示（切り出し枠）の表示を行うことが可能になる。
【００５９】
このように、領域指定表示（切り出し枠）の一部を側性に応じて変更することにより、医師や放射線撮影技師などの操作者が初期位置の切り出し枠４０５を縮小変更後の切り出し枠４０６に変更する場合や（図４（ｃ））、縮小変更後の切り出し枠４０６から拡大変更後の切り出し枠４０７のように変更する場合であっても（図４（ｄ））、領域指定表示（切り出し枠）内の部分画像の左側が被検査物（対臓器）の左側を示す側性「Ｌ」を示すことが判別可能である。
【００６０】
本実施形態では、領域指定表示として、切り出し枠を構成する辺として一辺の表示を側性に応じて変更する例を説明したが、この例に限定されず、本実施形態で説明した方法と同様の方法を適用することにより、複数の辺の表示を側性に応じて変更することも可能である。
【００６１】
放射線撮影装置（システム）により撮影された画像が回転されている場合がある。例えば、９０度回転して、切り出し枠の左辺が切り出し枠の上辺に回転移動し、切り出し枠の右辺が切り出し枠の下辺に回転移動するような場合でも、側性付与部２１６は切り出し枠の上下の辺に側性情報を付与することは可能である。
【００６２】
本実施形態では、側性情報の付与方法として、図３では、側性入力ボタン３０３を使用する例を説明し、図４では側性選択部４０４を使用する例を説明した。側性情報の付与方法としては、この方法に限らず、別の方法を用いることも可能である。例えば、表示部２０３に表示される撮影制御プログラムの操作画面上に、側性情報を選択する選択部を設け、領域指定表示（切り出し枠）を表示するための表示データに選択部から選択された側性情報を付与することも可能である。
【００６３】
その他にも、操作者が、マウスなどの入力部２０２を操作して、画像上に配置された側性を示すアイコンを切り出し枠の辺の近傍に移動させて、側性と切り出し枠の辺とを関連付けることも可能である。例えば、側性を示すアイコンをマウスの操作により切り出し枠の辺の近傍に移動させることにより、アイコンが配置された近傍の辺の表示データに側性情報を設定することも可能である。このように、領域指定表示（切り出し枠）を表示するための表示データに側性情報を付与する方法は種々の変形が可能であるが、領域指定表示（切り出し枠）の表示データに側性情報が付与された後は、切り出し枠の辺の形状変更、表示色の変更、側性マーカーを付随して表示するなどの表示制御を行えばよい。
【００６４】
第１の実施形態の構成によれば、撮影画像から一部の部分画像を切り出すための領域を指定する領域指定表示の一部を側性に応じて変更することが可能になる。これにより、医師や放射線撮影技師などの操作者は領域指定表示（切り出し枠）を見ることで、被検査物（対臓器）の側性も同時に認識可能である。そのため、医師等の診断効率の向上とともに、従来技術のように側性を示すマークが病変に重なり診断の妨げとなる可能性を低減することが可能である。
【００６５】
また、医師等の操作者が領域指定表示（切り出し枠）の範囲の変更を行った場合であっても、医師等は再度、側性マーカーの位置を変更する必要が無く、利便性の向上を図ることが可能になる。また、医師等の操作者が意図した方向（被検査物の側性に応じた方向）において、領域指定表示（切り出し枠）の一部を変更することが可能になる。
【００６６】
＜第２の実施形態＞
ここまで、制御装置２０８の制御の下に放射線撮影画像を表示制御して、領域指定表示（切り出し枠）の一部を側性に応じて変更する方法を説明した。制御装置２０８（放射線撮影装置）側で撮影画像を見ている場合は、領域指定表示（切り出し枠）や領域指定表示（切り出し枠）外の画像も表示部２０３に表示されているが、ＰＡＣＳ２１０へ転送された場合や、プリント出力された場合は、領域指定表示（切り出し枠）内の画像のみが転送、出力される。また、領域指定表示（切り出し枠）は転送、出力された画像には表示されないためＰＡＣＳ２１０へ転送された場合やプリンタから出力された場合、側性情報が失われてしまう。第２の実施形態においては、出力画像に側性を示す側性マーカーを付与することにより、被検査物の側性を識別可能にする構成を説明する。
【００６７】
図５は、出力画像へ側性を示す情報を付与する方法を説明する図である。図５に示す撮影制御プログラムの撮影画面ＧＵＩにおいて、切り出し枠５０１が表示されている（図５（ａ））。側性付与部２１６は、切り出し枠５０１を表示するための表示データに側性情報「Ｌ」を付与し、表示制御部２１４は、側性情報が付与された表示データに基づいて、切り出し枠５０１の左辺の実線表示を破線表示に変更するように表示制御を行う。
【００６８】
この状態で検査が完了し、領域指定表示（切り出し枠）により切り出された撮影画像の一部の部分画像がＰＡＣＳへ転送されたり、プリンタへ転送される際に、ＣＰＵ２０１の制御の下、生成部２１７は、転送用画像の生成処理を行う。転送用画像の生成処理において、ＣＰＵ２０１の制御の下、生成部２１７は切り出し枠５０１内部から側性情報「Ｌ」が設定されている切り出し枠５０１の辺の付近にて、放射線が被験者を透過せずに放射線センサ２１１（検出部）に直接照射された領域を探索する。
【００６９】
以下、この領域を放射線素抜け領域と呼ぶ。放射線素抜け領域は、通常、撮影画像において黒色の領域として表示される。放射線素抜け領域の検索方法として、生成部２１７は、領域指定表示における部分画像の画素値と閾値との比較により放射線素抜け領域の有無を判定することが可能である。例えば、切り出し範囲内であり、かつ、側性情報が設定されている切り出し枠辺の周辺領域において、ＣＰＵ２０１は、切り出し枠の辺から既定範囲内の画素の画素値と、閾値と比較し、閾値未満の画像により構成される領域を放射線素抜け領域として探索することができる。尚、ここで探索される放射線素抜け領域は、ビット表現した際に全ビットが同一である黒色の必要はなく、例えば、人間の視認限界以下の黒色である領域を探せばよい。
【００７０】
生成部２１７は、部分画像において、放射線が被験者を透過せずに検出部に直接照射された領域である素抜け領域を部分画像の画素値に基づいて探索し、側性を示す側性マーカーを素抜け領域に配置した画像データを生成する。生成部２１７は、部分画像および側性マーカーを、外部装置に出力するための画像データとして生成する。
【００７１】
このようにすることで、医師や放射線撮影技師などの操作者にとって診断に不要な領域に側性マーカーを配置することができる。この放射線素抜け領域の探索方法を用いた場合、切り出し枠５０１で囲まれた画像は出力用の部分画像５０２のようになる（図５（ｂ））。側性情報が付与されていた切り出し枠５０１は出力用の部分画像５０２において表示されていない。
【００７２】
そして、ＣＰＵ２０１の制御の下、生成部２１７により生成された画像データに基づいて、表示制御部２１４は、放射線素抜け領域５０４に、側性を示す側性マーカー「Ｌ」を表示させる。
【００７３】
ここでは、放射線素抜け領域は、表示画面において黒色で表示される領域であるという前提のもとに説明してきた。しかし、デジタル化された放射線撮影装置（システム）では白黒反転する機能が基本的な機能として提供されている場合が多い。白黒反転機能を利用した場合は、放射線素抜け領域は白色の領域となる。そのため、放射線素抜け領域の探索方法としては、黒色の領域ではなく白色の領域を探索する、もしくは、ＲＡＭ２０６に保存されている画像に対して内部的に白黒反転機能を無効にした状態で、ＣＰＵ２０１は黒色の領域を探索する前述の探索方法を行い放射線素抜け領域を探索することが可能である。
【００７４】
以上のように転送画像を出力することで、ＰＡＣＳ側において、側性を示す側性マーカーが配置された部分画像を閲覧することができる。医師や放射線撮影技師などの操作者は側性を示す側性マーカーを見ることで、被検査物（対臓器）の側性を認識可能である。
【００７５】
既存の放射線撮影装置（システム）が構成されている病院において、本実施形態の機能を実現するためには、制御装置２０８上で動くソフトウェアを改修すればよく、他の放射線撮影装置（システム）を改修する必要は無く、容易に導入することが可能である。
【００７６】
＜第３の実施形態＞
第２の実施形態においては、領域指定表示として、切り出し枠の辺の表示データに側性情報が付与されている状態において、転送用画像の生成処理が行われた場合、放射線素抜け領域に被検査物の側性を示す側性マーカーを配置する方法を説明した。本実施形態では、放射線素抜け領域が見つからなかった場合に、部分画像の領域に隣接する外部領域に側性を示す側性マーカーを配置する構成を説明する。
【００７７】
図６を用いて、放射線素抜け領域が存在しない場合における、側性マーカーの配置方法を説明する。撮影制御プログラムの撮影画面ＧＵＩにおいて、放射線撮影画像６０１、および切り出し枠６０２が表示されている（図６（ａ））。
【００７８】
撮影画像から一部の部分画像を切り出すための領域を指定する領域指定表示として、切り出し枠６０２の左辺の表示データに側性情報「Ｌ」が付与されている。表示制御部２１４は、側性情報「Ｌ」が付与された表示データに基づいて、表示部２０３に切り出し枠６０２の左辺６０３を破線で表示させる。
【００７９】
図６（ａ）に示す状態では、領域指定表示（切り出し枠）の一部を側性に応じて、実線表示を破線表示に変更することにより、被検査物の側性が左（Ｌ）であることを識別可能である。この状態で、医師や放射線撮影技師などの操作者がＰＡＣＳへの転送指示を制御装置２０８に対して行うと、ＣＰＵ２０１は切り出し枠６０２内部の部分画像が転送用の画像（部分画像）となるような切り出し処理を行う。
【００８０】
領域指定表示（切り出し枠）の表示データには側性情報「Ｌ」が付与されているため、ＣＰＵ２０１の制御の下、生成部２１７は第２の実施形態で説明したように、領域指定表示である切り出し枠６０２の左辺６０３の近傍に側性マーカーを配置可能な放射線素抜け領域を探索する。
【００８１】
しかし、切り出し枠６０２の左辺６０３の内側近傍には被験者が写っており、ＣＰＵ２０１の制御の下、生成部２１７は側性マーカーを転送画像（部分画像）内に配置することができる放射線素抜け領域を探索することができない。
【００８２】
そこで、生成部２１７は、部分画像に隣接する外部領域に側性を示す側性マーカーを配置する。生成部２１７は、部分画像および外部領域の画像および側性マーカーを、外部装置に出力するための一つの画像データとして生成する。ここで、生成部２１７は、部分画像の外周を囲み、予め定められた幅を有する枠画像を、外部領域の画像として生成する。生成部２１７は側性を示す情報に基づいて、枠画像内に側性マーカーを配置するように画像データを生成する。表示制御部２１４は、生成された画像データに基づいて、部分画像および外部領域の画像および側性マーカーを、表示部２０３に表示させる。
【００８３】
例えば、生成部２１７は、側性マーカーを配置することが可能なサイズ（幅）を有する黒色の枠画像を部分画像の周囲に配置し、側性マーカーと黒色の枠画像と部分画像とを組み合わせた枠画像付き部分画像を生成する。生成された枠画像付き部分画像がＰＡＣＳに転送される部分画像となる。図６（ｂ）において、転送用として部分画像６０５が切り出しされた場合、黒色の枠画像６０４を切り出された部分画像６０５の周囲に配置して１枚の画像とする。
【００８４】
黒色の枠画像６０４と部分画像６０５とを合わせて枠画像付き部分画像が生成される。ＣＰＵ２０１の制御の下、生成部２１７は、枠画像付き部分画像に対して放射線素抜け領域を探索し、表示制御部２１４は切り出し枠６０２の左辺６０３に対応する枠画像の左領域（放射線素抜け領域）に側性マーカー「Ｌ」６０６を表示させる（図６（ｂ））。本実施形態では、枠画像６０４が放射線素抜け領域として探索され、切り出し枠６０２の左辺６０３に対応する枠画像の左領域（放射線素抜け領域）に側性マーカー「Ｌ」６０６が配置される。
【００８５】
そして、ＣＰＵ２０１の制御の下、生成部２１７は、黒色の枠画像６０４と切り出し用の部分画像６０５とを合わせて一枚の転送用画像を生成する。生成部２１７が生成した転送用画像は、切り出し枠６０２で指定されたサイズよりの画像も大きいサイズを有する画像となる。放射線撮影画像は、一般的に、医用画像の画像規格及び通信プロトコルを決めるＤＩＣＯＭ（Ｄｉｇｉｔａｌ  Ｉｍａｇｉｎｇ  ａｎｄ  ＣＯｍｍｕｎｉｃａｔｉｏｎ  ｉｎ  Ｍｅｄｉｃｉｎｅ）規格に基づいて生成され、転送される。転送されるデータには、転送対象となる画像と画像の属性を示すヘッダ情報とが含まれる。ヘッダ情報（ＤＩＣＯＭヘッダ）には、例えば、画像に対する縦横方向のピクセル数の情報が含まれている。ヘッダ情報に格納されている画像サイズ（画像のピクセル数）と、実際に転送される画像サイズ（転送画像のピクセル数）とが異なると、既存のＰＡＣＳでは正しく画像を再生することが出来ない。
【００８６】
そこで、生成部２１７は、画像を転送する際に、部分画像６０５のサイズと黒色の枠画像６０４のサイズとを合わせた画像サイズをヘッダ情報（ＤＩＣＯＭヘッダ）に記録する。すなわち、生成部２１７は、ネットワークを介して外部装置に画像データを転送する場合、部分画像のサイズおよび外部領域の画像のサイズに基づいて、画像データのサイズを示すヘッダ情報を設定する。
【００８７】
このようにすることで、既存のＰＡＣＳを用いて従来の放射線撮影画像と同様に、黒色の枠画像６０４と切り出し用の部分画像６０５とを合わせた画像をＰＡＣＳにおいて表示することが可能になる。本実施形態の構成によれば、従来の院内システムにおいて、制御装置２０８の処理（撮影制御プログラム）を変更すれば、ＰＡＣＳの構成を変更することなく容易に本実施形態の構成を適用することが可能である。
【００８８】
（変形例）
第３の実施形態の構成では、黒色の枠画像６０４は、切り出し用の部分画像６０５の全体を囲むように生成される構成を説明した。しかし実際には、部分画像の周囲を囲むように枠画像６０４を生成しなくても、部分画像の一部と隣接する領域に側性マーカーを配置するスペースが有ればよい。生成部２１７は、放射線素抜け領域が存在しない場合、部分画像６０８の一部と隣接し、予め定められた幅を有する部分枠画像６０７を、外部領域の画像データとして生成することも可能である。この際、生成部２１７は、部分画像の一部と隣接する部分枠画像を側性に応じた位置に配置するように画像データを生成る。そして、生成部２１７は、側性を示す情報に基づいて、部分枠画像内に側性マーカー６０９を配置するように画像データを生成する。表示制御部２１４は、部分画像および部分枠画像６０７および側性マーカー６０９を、表示部２０３に表示させる（図６（ｃ））。
【００８９】
生成部２１７は、部分枠画像６０７と部分画像６０８とを合わせて１枚の転送用画像を生成する。このようにすることで、側性情報が付与されていない切り出し枠の辺の周囲に側性マーカーを配置するためのスペースを設ける必要が無くなり、転送を行う際の画像サイズを低減することが可能になる。これにより、ネットワークのトラフィックの低減、およびＰＡＣＳにおける記憶領域の効率的利用が可能になる。
【００９０】
本実施形態の構成によれば、放射線素抜け領域が部分画像内に存在しない場合であっても、側性情報が付与された切り出し枠の辺の近傍に側性マーカーを配置することができる。また、このようにして側性マーカーを配置することで、放射線撮影画像の中でも医師や放射線撮影技師などの操作者が着目したい箇所（部分画像）以外に側性マーカーを配置することができる。そのため、撮影画像から一部を切り出す領域指定表示内の部分画像を見やすく表示することが可能になる。これにより、医師が放射線撮影画像から病変を判断する際の妨げとなることがなく、医師の利便性と診断の確実性向上を図ることが可能になる。
【００９１】
＜第４の実施形態＞
本実施形態では、予め定められている側性に基づいて自動的に切り出し枠を表示する表示データに側性情報を付与する方法を説明する。例えば、健康診断のように、多人数を短い時間で画一的な撮影方法で撮影する場合がある。一般的に健康診断では、被験者の胸部を後ろから撮影する胸部立位正面のＰＡ撮影（Posterior-Anterior view）が行われる。このように予め撮影方法と撮影部位が決まっている場合、健康診断を始める前に撮影画像に対して被験者の左右が予めどのような配置となるかを事前に医師が判断することができる。本実施形態では、制御装置２０８上で動作する撮影制御プログラムにて、デフォルトとなる側性マーカーとその配置位置を定める機能を提供する。この機能を用いることで、医師や放射線撮影技師などの操作者は、例えば、胸部立位正面のＰＡ撮影において、撮影画像の左側中段に側性マーカー「Ｌ」を配置するという設定が可能である。
【００９２】
図７（ａ）は、撮影制御プログラムにて、撮影方法に対してデフォルト設定を行う設定画面７０１が、表示部２０３に表示されている状態を示す図である。設定画面７０１には、側性マーカー「Ｌ」および「Ｒ」のそれぞれについて、配置位置を設定する設定部７０２が設けられている。図７（ａ）に示すデフォルト設定の例では、側性マーカー「Ｌ」を「中―左」と設定している。この設定は、画像の上下方向の位置において中段（中央）の位置、左右方向において左側に側性マーカーを配置する設定を示している。また、側性マーカー「Ｒ」は「なし」と設定されているためデフォルト設定では撮影画像に側性マーカー「Ｒ」は配置されない。
【００９３】
このように側性マーカーを自動的に配置する設定を行っておき、撮影を実行する場合を説明する。撮影制御プログラムの撮影画面ＧＵＩにおいて、撮影画像７０３および切り出し枠７０４が表示されている（図７（ｂ））。側性マーカー７０５はデフォルトの設定により、画像の上下方向の位置で中段（中央）の位置、左右方向において左側に配置される。側性マーカー７０５の配置は、設定部７０２によるデフォルト設定に基づくものである。自動的に側性マーカー７０５が配置された場合であっても、図８で示した前提技術の問題は同様に発生し得る。
【００９４】
本実施形態では、撮影方法に対して側性マーカーを自動的に配置するデフォルト設定を行っていた場合には、側性付与部２１６は切り出し枠７０７の表示データに、被検査物の側性を示す情報（側性情報）を自動的に付与する。そして、表示制御部２１４は、側性を示す情報（側性情報）が付与された表示データに基づいて、領域指定表示の一部を側性に応じて変更するよう表示部２０３に表示させる。
【００９５】
例えば、撮影制御プログラムの撮影画面ＧＵＩにおいて、撮影画像７０６および切り出し枠７０７が表示されている（図７（ｃ））。表示制御部２１４の表示制御により、表示部２０３の切り出し枠７０７の左辺は破線７０８のように表示される。領域指定表示の実線表示を破線表示に変更することにより、医師等の操作者は、領域指定表示の一部が側性に応じて変更されていることを認識することができ、撮影画像における被検査物の側性が左であることを識別することが可能になる。
【００９６】
設定部７０２で側性マーカーを配置するデフォルト設定を行った場合に、デフォルト設定された側性マーカーの配置位置に基づいて、側性情報が領域指定表示（切り出し枠）の表示データに付与され、側性情報が付与された表示データに基づいて、領域指定表示の一部が側性に応じて変更される。
【００９７】
本実施形態によれば、撮影画像から一部の部分画像を切り出すための領域を指定する領域指定表示の一部を側性に応じて変更することにより、被検査物の側性を識別することが可能になる。また、撮影画像から一部を切り出す領域指定表示内の部分画像を見やすく表示することが可能になる。
【００９８】
本実施形態の構成によれば、側性マーカーのデフォルト設定（配置位置）が領域指定表示（切り出し枠）の一部を側性に応じて変更するための表示制御に反映される。医師や放射線撮影技師などの操作者は領域指定表示（切り出し枠）を見ることで、被検査物（対臓器）の側性も同時に認識可能である。また、医師等の操作者が領域指定表示（切り出し枠）の範囲の変更を行った場合であっても、医師等は再度、側性マーカーの位置を変更する必要が無く、利便性の向上を図ることが可能になる。
【００９９】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１００】
２０８  制御装置、２１１  放射線センサ、２１２  放射線発生装置、
２１３  放射線撮影装置、２１４  表示制御部、２１５  側性入力部、
２１６  側性付与部、２１７  生成部
【図１】
2016158811.tif 000003
【図２】
2016158811.tif 000004
【図３】
2016158811.tif 000005
【図４】
2016158811.tif 000006
【図５】
2016158811.tif 000007
【図６】
2016158811.tif 000008
【図７】
2016158811.tif 000009
【図８】
2016158811.tif 000010
【図９】
2016158811.tif 000011